(57)【要約】【課題】本発明は、衣類乾燥機用制御パネル装置及び衣類乾燥機を提供する。【解決手段】衣類乾燥機用制御パネル装置は、取り外し可能に接続された操作パネル（１）と取付パネル（２）とを含み、操作パネル（１）は、衣類乾燥機の制御装置に電気的に接続され、制御装置に制御信号を送信し、且つ制御装置から送信された表示信号を受信するために用いられ、操作パネル（１）を正の向き又は逆の向きで取付パネル（２）に取り付けることができ、取付パネル（２）を衣類乾燥機筐体（５）に固接することができる。衣類乾燥機は、筐体（５）を含み、上述した制御パネル装置を更に含み、取付パネル（２）は衣類乾燥機筐体（５）に固接されている。衣類乾燥機用制御パネル装置は、衣類乾燥機を逆さまにする必要がある場合に、操作パネル（１）を逆の向きで便利に取り付けることができ、ユーザの通常の使用に影響を与えないことを保証するため、使用しやすく、着脱が容易であり、衣類乾燥機の配置位置が高い場合に、逆さま状態で使用されることができる。【選択図】図２
2017529961.tif 000002
【特許請求の範囲】
【請求項１】
取り外し可能に接続された操作パネル（１）と取付パネル（２）とを含み、前記操作パネル（１）は、衣類乾燥機の制御装置に電気的に接続され、前記制御装置に制御信号を送信し、且つ前記制御装置から送信された表示信号を受信するために用いられ、前記操作パネル（１）を正の向き又は逆の向きで前記取付パネル（２）に取り付けることができ、前記取付パネル（２）を衣類乾燥機筐体（５）に固接することができる、ことを特徴とする衣類乾燥機用制御パネル装置。
【請求項２】
前記取付パネル（２）は、中心対称構造である、ことを特徴とする請求項１に記載の衣類乾燥機用制御パネル装置。
【請求項３】
前記電気的接続は、有線接続又は無線接続である、ことを特徴とする請求項１に記載の衣類乾燥機用制御パネル装置。
【請求項４】
前記操作パネル（１）と前記取付パネル（２）とは、ネジ（１１）、係止爪（１２）、係止フック（１３）及び／又は磁性部材（１４）によって接続されている、ことを特徴とする請求項１に記載の衣類乾燥機用制御パネル装置。
【請求項５】
前記磁性部材（１４）は、ネオジム・鉄・ホウ素磁性鋼、フェライト磁性鋼及び／又はアルミニウム・ニッケル・コバルト磁性鋼から製造される、ことを特徴とする請求項４に記載の衣類乾燥機用制御パネル装置。
【請求項６】
前記操作パネル（１）に着脱溝（１５）が設置されている、ことを特徴とする請求項４に記載の衣類乾燥機用制御パネル装置。
【請求項７】
前記操作パネル（１）と前記取付パネル（２）とは面一であり、又は、前記操作パネル（１）の縁が張り出してフランジング（１６）を形成し、前記フランジング（１６）は前記取付パネル（２）の縁を包む、ことを特徴とする請求項１に記載の衣類乾燥機用制御パネル装置。
【請求項８】
前記操作パネル（１）の外側にパネルシート（３）が設置され、前記パネルシート（３）にボタン又は表示灯を意味する表示マークが設置されている、ことを特徴とする請求項１に記載の衣類乾燥機用制御パネル装置。
【請求項９】
前記取付パネル（２）と前記衣類乾燥機筐体（５）とは、固定ネジ（２１）及び／又は係止片（２２）によって接続されている、ことを特徴とする請求項１から８のいずれか一項に記載の衣類乾燥機用制御パネル装置。
【請求項１０】
衣類乾燥機筐体（５）を含む衣類乾燥機であって、請求項１から９のいずれか一項に記載の制御パネル装置を更に含み、前記取付パネル（２）は衣類乾燥機筐体（５）に固接されている、ことを特徴とする衣類乾燥機。
【発明の詳細な説明】
【技術分野】
【０００１】
本特許出願は、２０１４年０９月２９日に提出され、出願番号が２０１４１０５１２４１５．７であり、出願人が青島膠南海爾洗濯機有限公司であり、発明の名称が「衣類乾燥機用制御パネル装置及び衣類乾燥機」である中国特許出願に基づいて優先権を主張し、当該出願の全文が引用され本出願に援用される。
本発明は、衣類乾燥機用制御パネル装置及び当該制御パネル装置が取り付けられた衣類乾燥機に関する。
【背景技術】
【０００２】
衣類乾燥機は、汎用家電製品である。操作しやすくするために、衣類乾燥機を正常に置いてもよいし、逆さま状態（衣類乾燥機が洗濯機に重ねて置かれ、又は壁面に固定して取り付けられた場合に、操作パネルと地面との距離を逆さまにより低減することができる）にしてもよい。衣類乾燥機が逆さまにされると、制御パネルに貼り付けられたパネルシートも逆さまになるため、ユーザに不便をもたらす。
【０００３】
この課題を解決するために、元のパネルシートを剥がし、機器の配置状態に対応する新しいパネルシートを貼り直す必要がある。パネルシートは、粘着剤によって固定されるものであるため、剥離の際に取り外しにくく、大面積の粘着剤が残留し、残留粘着剤を除去しにくい等の問題がある。たとえ製品の出荷時にいかなるパネルシートも予め貼り付けず、ユーザの自宅での実装状態に合わせて対応するパネルシートを貼り付けても、使用中に衣類乾燥機の配置状態を調整する必要がある場合に、ユーザは、またこの問題に直面しなければならない。
【発明の概要】
【発明が解決しようとする課題】
【０００４】
本発明は、着脱しやすく、衣類乾燥機が逆さまにされても、ユーザの通常の使用に影響を与えない衣類乾燥機用制御パネル装置を提供することを一つの目的とする。
【０００５】
本発明は、操作パネルと取付パネルとの接続方法が安定であり、着脱しやすい衣類乾燥機用制御パネル装置を提供することをもう一つの目的とする。
【０００６】
本発明は、着脱しやすく、逆さま状態で使用されることができる衣類乾燥機を提供することを更にもう一つの目的とする。
【課題を解決するための手段】
【０００７】
この目的を達成するために、本発明は以下の技術方案を採用する。
【０００８】
取り外し可能に接続された操作パネルと取付パネルとを含み、前記操作パネルは、衣類乾燥機の制御装置に電気的に接続され、前記制御装置に制御信号を送信し、且つ前記制御装置から送信された表示信号を受信するために用いられ、前記操作パネルを正の向き又は逆の向きで前記取付パネルに取り付けることができ、前記取付パネルを衣類乾燥機筐体に固接することができる衣類乾燥機用制御パネル装置。
【０００９】
特に、前記取付パネルは、中心対称構造である。
【００１０】
特に、前記電気的接続は、有線接続又は無線接続である。
【００１１】
特に、前記操作パネルと前記取付パネルとは、ネジ、係止爪、係止フック及び／又は磁性部材によって接続されている。
【００１２】
更に、前記磁性部材は、ネオジム・鉄・ホウ素磁性鋼、フェライト磁性鋼及び／又はアルミニウム・ニッケル・コバルト磁性鋼から製造される。
【００１３】
特に、前記操作パネルに着脱溝が設置されている。
【００１４】
特に、前記操作パネルと前記取付パネルとは面一であり、又は、前記操作パネルの縁が張り出してフランジングを形成し、前記フランジングは、前記取付パネルの縁を包む。
【００１５】
特に、前記操作パネルの外側にパネルシートが設置され、前記パネルシートにボタン又は表示灯を意味する表示マークが設置されている。
【００１６】
特に、前記取付パネルと前記衣類乾燥機筐体とは、固定ネジ及び／又は係止片によって接続されている。
【００１７】
一方、本発明は以下の技術方案を採用する。
【００１８】
筐体を含み、上述した制御パネル装置を更に含み、前記取付パネルは衣類乾燥機筐体に固接されている衣類乾燥機。
【発明の効果】
【００１９】
本発明に係る衣類乾燥機用制御パネル装置は、取り外し可能に接続された操作パネルと取付パネルとの２つの部分を含み、操作パネルを正の向き又は逆の向きで取付パネルに取り付けることができ、取付パネルを衣類乾燥機筐体に固接することができるため、衣類乾燥機を逆さまにする必要がある場合に、操作パネルを逆の向きで便利に取り付けることができ、ユーザの通常の使用に影響を与えないことを保証する。
【００２０】
本発明に係る衣類乾燥機筐体に上述した取付パネルが固接されているため、使用しやすく、着脱が容易であり、衣類乾燥機の配置位置が高い場合に、逆さま状態で使用されることができる。
【図面の簡単な説明】
【００２１】
【図１】本発明の好適な実施例１に係る衣類乾燥機が正の向きで置かれた状態の構成模式図である。
【図２】本発明の好適な実施例１に係る衣類乾燥機が正の向きで置かれた状態における制御パネル装置の構成模式図である。
【図３】本発明の好適な実施例１に係る衣類乾燥機が逆の向きで置かれた状態の構成模式図である。
【図４】本発明の好適な実施例１に係る衣類乾燥機が逆の向きで置かれた状態における制御パネル装置の構成模式図である。
【図５】本発明の好適な実施例１に係る操作パネルと取付パネルとの接続構成の断面図である。
【図６】本発明の好適な実施例１に係る取付パネルと衣類乾燥機筐体との接続構成の模式図である。
【図７】本発明の好適な実施例２に係る操作パネルと取付パネルとの接続構成の断面図である。
【図８】本発明の好適な実施例２に係る操作パネルと取付パネルとの接続構成の断面図である。
【図９】本発明の好適な実施例２に係る操作パネルと取付パネルとの接続構成の断面図である。
【図１０】本発明の好適な実施例２に係る操作パネルと取付パネルとの接続構成の断面図である。
【図１１】本発明の好適な実施例２に係る操作パネルと取付パネルとの接続構成の模式図である。
【図１２】本発明の好適な実施例２に係る取付パネルと衣類乾燥機筐体との接続構成の模式図である。
【符号の説明】
【００２２】
１−操作パネル、２−取付パネル、３−パネルシート、５−衣類乾燥機筐体、１１−ネジ、１２−係止爪、１３−係止フック、１４−磁性部材、１５−着脱溝、１６−フランジング、２１−固定ネジ、２２−係止片。
【発明を実施するための形態】
【００２３】
以下、図面を参照しながら具体的な実施形態に基づき、本発明の技術方案を更に説明する。
【００２４】
好適な実施例１
好適な実施例１は、衣類乾燥機用制御パネル装置を開示している。図１と図２に示すように、制御パネル装置は、取り外し可能に接続された操作パネル１、取付パネル２、及び操作パネル１の外側に設置されたパネルシート３を含み、パネルシート３にボタン又は表示灯を意味する表示マークが設置されている。取付パネル２は、中心対称構造である。操作パネル１は、回線によって衣類乾燥機の制御装置に接続され、制御装置に制御信号を送信し、且つ制御装置から送信された表示信号を受信するために用いられる。操作パネル１を正の向き又は逆の向きで取付パネル２に取り付けることができ、取付パネル２を衣類乾燥機筐体５に固接することができる。
【００２５】
図３と図４に示すように、操作パネル１と取付パネル２とが着脱しやすく、且つ取付パネル２が中心対称構成であるため、衣類乾燥機を逆さまにする必要がある場合に、操作パネル１を取付パネル２から非常に便利且つ迅速に取り外し、逆転させてから取付パネル２に取り付け直すことができる。衣類乾燥機が逆さまにされた状態でも、表示マークが正の向きであることを確保し、ユーザの使用の利便性と快適性に影響を与えない。
【００２６】
図５に示すように、操作パネル１と取付パネル２とはネジ１１によって接続されているため、取付の後に、構造が強固且つ簡単であり、コストが低い。
【００２７】
図６に示すように、取付パネル２と衣類乾燥機筐体５とは固定ネジ２１によって接続されているため、着脱しやすい。操作パネル１と取付パネル２とは面一であるため、外形が美しく、加工しやすい。
【００２８】
好適な実施例２
好適な実施例２は衣類乾燥機用制御パネル装置を開示し、その構成が好適な実施例１と実質的に同じである。制御パネル装置は、取り外し可能に接続された操作パネル１と取付パネル２とを含む。操作パネル１は、衣類乾燥機の制御装置に電気的に接続され、制御装置に制御信号を送信し、且つ制御装置から送信された表示信号を受信するために用いられる。操作パネル１を正の向き又は逆の向きで取付パネル２に取り付けることができ、取付パネル２を衣類乾燥機筐体５に固接することができる。
【００２９】
好適な実施例２は、操作パネル１にボタン又は表示灯を意味する表示マークが直接に設置されているため、パネルシートを別途に設置する必要がなく、電気的接続の具体的な形態が限定されるものではなく、有線接続の他に無線接続であってもよいという点で好適な実施例１と異なる。
【００３０】
操作パネル１と取付パネル２との具体的な接続方法は、限定されるものではなく、両者の間の安定で便利な固接を実現できればよい。具体的には、図７に示すように、操作パネル１と取付パネル２とが係止爪１２によって接続されることができるため、着脱しやすい。図８に示すように、操作パネル１と取付パネル２とがネジ１１及び係止爪１２を併用して接続されているため、取付の安定性を保証するだけでなく、着脱の利便性も向上させる。図９に示すように、操作パネル１と取付パネル２とが係止フック１３によって接続されることもできるため、着脱しやすい。図１０に示すように、操作パネル１と取付パネル２とが磁性部材１４によって接続されることもできる。
【００３１】
磁性部材１４を調製する材料は、限定されるものではなく、取付空間が小さくて、かなり良い磁力を有する必要がある場合に、ネオジム・鉄・ホウ素磁性鋼を選択することができ、コストを削減する必要がある場合に、フェライト磁性鋼を選択することができ、使用環境が複雑であり、磁性部材１４が良好な安定性を有する必要がある場合に、アルミニウム・ニッケル・コバルト磁性鋼を選択することができる。
【００３２】
図１１に示すように、操作パネル１に着脱溝１５が設置されているため、操作パネル１を着脱しやすくできる。取付パネル２と衣類乾燥機筐体５とが固定ネジ２１によって接続されていると共に、係止片２２も配置されているため、取付の際に、係止片２２は取付パネル２を予め固定する作用を果たすことができ、取付の後に、係止片２２は取付パネル２と衣類乾燥機筐体５との間の接続の強固さを補強することができる。
【００３３】
図１２に示すように、操作パネル１の縁が張り出してフランジング１６を形成し、フランジング１６が、取付パネル２の縁を包むため、着脱しやすく、外形が美しい。
【００３４】
好適な実施例３
好適な実施例３は、衣類乾燥機を開示している。当該衣類乾燥機は、筐体と好適な実施例１又は２に記載の制御パネル装置とを含み、取付パネルは衣類乾燥機筐体に固接されている。
【図１】
2017529961.tif 000003
【図２】
2017529961.tif 000004
【図３】
2017529961.tif 000005
【図４】
2017529961.tif 000006
【図５】
2017529961.tif 000007
【図６】
2017529961.tif 000008
【図７】
2017529961.tif 000009
【図８】
2017529961.tif 000010
【図９】
2017529961.tif 000011
【図１０】
2017529961.tif 000012
【図１１】
2017529961.tif 000013
【図１２】
2017529961.tif 000014
【国際調査報告】
2017529961.tif 000015
2017529961.tif 000016
2017529961.tif 000017
2017529961.tif 000018